(57)【要約】 【課題】タッチ入力と従来の入力装置（例えばキーボード）を有効に整合することが可能な電子装置を提供する。【解決手段】第１プリセット入力機能を有するタッチ入力ユニットと、デフォルトインターフェイス又は第１インターフェイスを表示するためのものであり、第１インターフェイスは第１プリセット入力機能に対応する表示ユニットと、タッチ入力ユニット及び表示ユニットと電気的に接続し、表示ユニットがデフォルトインターフェイスから第１インターフェイスに切り替えるように制御するためのものである制御ユニットと、を含む。【選択図】図２
2019207669.tif 000002
【特許請求の範囲】
【請求項１】
第１プリセット入力機能を有するタッチ入力ユニットと、
デフォルトインターフェイス又は第１インターフェイスを表示するためのものであり、前記第１インターフェイスは前記第１プリセット入力機能に対応する表示ユニットと、
前記タッチ入力ユニット及び前記表示ユニットと電気的に接続し、前記表示ユニットが前記デフォルトインターフェイスから前記第１インターフェイスに切り替えるように制御するためのものである制御ユニットと、
を含むことを特徴とする電子装置。
【請求項２】
前記タッチ入力ユニットは、前記第１プリセット入力機能と、第２プリセット入力機能と、を有し、前記制御ユニットは、前記タッチ入力ユニットが前記第１プリセット入力機能または前記第２プリセット入力機能を実行するように制御するためのものであることを特徴とする、請求項１に記載の電子装置。
【請求項３】
前記第１インターフェイスはツールバー（ｔｏｏｌｂａｒ）を有し、前記ツールバーは少なくとも一つのアイコン（ｉｃｏｎ）を有することを特徴とする、請求項１に記載の電子装置。
【請求項４】
更に、キーボード入力モジュールを備え、前記タッチ入力ユニットは、前記キーボード入力モジュールのボタン区域の上縁に位置することを特徴とする、請求項１に記載の電子装置。
【請求項５】
更に、前記制御ユニットに伝送される切替信号を発生するためのタッチインターフェース切替ユニットを備え、前記切替信号により、前記制御ユニットは、前記表示ユニットが前記デフォルトインターフェイスから前記第１インターフェイスに切り替れるように制御することを特徴とする、請求項１に記載の電子装置。
【請求項６】
前記タッチインターフェース切替ユニットはマウスであることを特徴とする、請求項５に記載の電子装置。
【請求項７】
前記タッチインターフェース切替ユニットは、キーボード入力モジュールの一つのファンクションキーであることを特徴とする、請求項５に記載の電子装置。
【請求項８】
前記タッチインターフェース切替ユニットはタッチコンポーネントであり、前記タッチコンポーネントは前記表示ユニットに位置することを特徴とする、請求項５に記載の電子装置。
【請求項９】
前記タッチ入力ユニットが前記第１プリセット入力機能を実行し、且つ前記タッチ入力ユニットが触発された場合には、前記制御ユニットは、前記表示ユニットがそれに対応する第２インターフェイスを表示するように制御することを特徴とする、請求項１に記載の電子装置。
【請求項１０】
前記第２インターフェイスは、レール操作インターフェイスまたはメニューを備えることを特徴とする、請求項９に記載の電子装置。
【発明の詳細な説明】
【技術分野】
【０００１】
本発明は、電子装置に関するものである。
【背景技術】
【０００２】
電子装置は、複数の使用シナリオと複数の操作モードとで利用されることは一般的となる。各アプリケーションソフトウェアまたはシステム機能の間の操作により、ユーザーによる入力が複雑となる。このとき、従来のキーボードによって操作を行うと、ユーザーの集中力が降下して、作業効率が降下し、そして操作ミスが発生しやすい。
【発明の概要】
【発明が解決しようとする課題】
【０００３】
本発明の主な目的は、タッチ入力と従来の入力装置（例えばキーボード）を有効に整合することが可能な電子装置を提供することにある。
【０００４】
本発明の次の目的は、表示ユニットがタッチ入力機能に対応するインターフェイスを表示することにより、入力装置に印刷するマークを簡潔化にすることが可能であり、ユーザーにとって、指示がもっと明確となる電子装置を提供することにある。
【０００５】
本発明の別の目的は、ユーザーが多種類の入力装置を利用するときに、インターフェイスの切替による混乱を減少することが可能であり、ユーザーは直覚的に入力することが可能な電子装置を提供することにある。
【課題を解決するための手段】
【０００６】
本発明の電子装置によると、第１プリセット入力機能を有するタッチ入力ユニットと、
デフォルトインターフェイス又は第１インターフェイスを表示するためのものであり、第１インターフェイスは第１プリセット入力機能に対応する表示ユニットと、
タッチ入力ユニット及び表示ユニットと電気的に接続し、表示ユニットがデフォルトインターフェイスから第１インターフェイスに切り替えるように制御するためのものである制御ユニットと、
を含むことを特徴とする。
【０００７】
本発明の電子装置によると、タッチ入力ユニットは、第１プリセット入力機能と、第２プリセット入力機能と、を有し、制御ユニットは、タッチ入力ユニットが第１プリセット入力機能または第２プリセット入力機能を実行するように制御するためのものであることを特徴とする。
【０００８】
本発明の電子装置によると、第１インターフェイスはツールバー（ｔｏｏｌｂａｒ）を有し、ツールバーは少なくとも一つのアイコン（ｉｃｏｎ）を有することを特徴とする。
【０００９】
本発明の電子装置によると、更に、キーボード入力モジュールを備え、タッチ入力ユニットは、キーボード入力モジュールのボタン区域の上縁に位置することを特徴とする。
【００１０】
本発明の電子装置によると、更に、制御ユニットに伝送される切替信号を発生するためのタッチインターフェース切替ユニットを備え、切替信号により、制御ユニットは、表示ユニットがデフォルトインターフェイスから第１インターフェイスに切り替えるように制御することを特徴とする。
【００１１】
本発明の電子装置によると、タッチインターフェース切替ユニットはマウスであることを特徴とする。
【００１２】
本発明の電子装置によると、タッチインターフェース切替ユニットは、キーボード入力モジュールの一つのファンクションキーであることを特徴とする。
【００１３】
本発明の電子装置によると、タッチインターフェース切替ユニットはタッチコンポーネントであり、タッチコンポーネントは表示ユニットに位置することを特徴とする。
【００１４】
本発明の電子装置によると、タッチ入力ユニットが第１プリセット入力機能を実行し、且つタッチ入力ユニットが触発された場合には、制御ユニットは、表示ユニットがそれに対応する第２インターフェイスを表示するように制御することを特徴とする。
【００１５】
本発明の電子装置によると、第２インターフェイスは、レール操作インターフェイスまたはメニューを備えることを特徴とする。
【発明の効果】
【００１６】
本発明に係る電子装置によれば、次のような効果がある。
（１）タッチ入力と従来の入力装置（例えばキーボード）を有効に整合することが可能である。
【００１７】
（２）表示ユニットがタッチ入力機能に対応するインターフェイスを表示することにより、入力装置に印刷するマークを簡潔化にすることが可能であり、ユーザーにとって、指示がもっと明確となる。
【００１８】
（３）ユーザーが多種類の入力装置を利用するときに、インターフェイスの切替による混乱を減少することが可能であり、ユーザーは直覚的に入力することが可能である。
【図面の簡単な説明】
【００１９】
【図１】本発明のタッチ入力機能を有する電子装置の一実施形態を示すブロック図である。
【図２】本発明のタッチ入力機能を有する電子装置の一実施形態の構成を示す模式図である。
【図３】本発明のタッチ入力機能を有する電子装置のタッチ入力ユニットとそれに対応する第１インターフェイスとの一実施形態を示す模式図である。
【図４】本発明のタッチ入力機能を有する電子装置の別の実施形態を示すブロック図である。
【図５】本発明のタッチ入力機能を有する電子装置のタッチ入力ユニットとそれに対応する第２インターフェイスとの一実施形態を示す模式図である。
【図６】本発明のタッチ入力機能を有する電子装置のタッチ入力ユニットとそれに対応する第２インターフェイスとの別の実施形態を示す模式図である。
【図７】本発明のタッチ入力機能を有する電子装置の更に別の実施形態を示すブロック図である。
【発明を実施するための形態】
【００２０】
以下、本発明の実施形態を図面に基づいて説明する。本発明の実施形態の図面における各部材の比例は、説明を容易に理解するために示され、実際の比例ではない。
【００２１】
図１は本発明のタッチ入力機能を有する電子装置の一実施形態を示すブロック図である。図２は本発明のタッチ入力機能を有する電子装置の一実施形態の構成を示す模式図である。ここで、ノートパソコンを例にして説明する。
【００２２】
本発明に係る電子装置１００は、タッチ入力ユニット１２０と、キーボード入力モジュール１３０と、表示ユニット１４０と、制御ユニット１６０と、タッチインターフェース切替ユニット１８０と、を含む。
【００２３】
キーボード入力モジュール１３０は、例えば資料を入力するためのスタンダードなキーボードである。タッチ入力ユニット１２０は、縞状またはチェーン状を呈し、キーボード入力モジュール１３０のボタン区域１３０ａの上方に位置し、表示ユニット１４０の下縁に近接する。特に、本発明のタッチ入力ユニット１２０の外形及び配置の位置は、これらに限定されず、キーボード入力モジュール１３０内に整合されることにも限定されない。例えば、タッチ入力モジュール１２０は、独立な装置であり、キーボード入力モジュール１３０に脱着可能に接続されており、又は表示ユニット１４０のフレームに直接に整合されてもよい。
【００２４】
タッチ入力ユニット１２０には、制御ユニット１６０により、第１プリセット入力機能が与えられる。ユーザーは、タッチ方式により、タッチ入力ユニット１２０を介して第１プリセット入力機能を実行することが可能である。タッチ入力ユニット１２０は、一般的なスタンダードキーボードの最も上方の列のボタンを取り換えることが可能である。すなわち、ボタンＥｓｃ、Ｆ１、Ｆ２…Ｆ１２、Ｐａｕｓｅ及びＤｅｌなどのボタンを取り換えることが可能である。すなわち、前記第１プリセット入力機能は、従来のキーボードの最も上方の列のボタンの機能である。しかし、本発明はこれらに限定されない。タッチ入力ユニット１２０には、他の入力機能が与えられてもよい。例えばスクリーンの明るさ、キーボードの明るさ、音量の調整、又は設定などの機能が与えられてもよい。
【００２５】
タッチ入力ユニット１２０は、タッチセンサーを有し、タッチ面の下方に位置し、ユーザーの押圧の動作を検出する。このタッチセンサーは、コンデンサー式センサー、抵抗式センサー、圧力センサー（Ｆｏｒｃｅ-ｓｅｎｓｉｎｇ  ｒｅｓｉｓｔｏｒ，ＦＳＲ）、又は超音波センサーなどのユーザーの押圧または接触の動作を検出可能なセンサーである。これらのタッチ検出技術は、周知の技術なため、説明を省略した。
【００２６】
表示ユニット１４０は、ユーザーインターフェイス（ｕｓｅｒ  ｉｎｔｅｒｆａｃｅ, ＵＩ）を表示するためのものであり、タッチ入力ユニット１２０とキーボード入力モジュール１３０とにより、ユーザーは操作することが可能である。本実施形態では、表示ユニット１４０は、デフォルト（ｄｅｆａｕｌｔ）インターフェイスＡ０と第１インターフェイスＡ１を選択的に表示することが可能である。デフォルトインターフェイスＡ０は、電子装置１００を起動した後、インターフェイス切替動作をよらずに表示されるインターフェイスである。第１インターフェイスＡ１は、タッチ入力ユニット１２０の第１プリセット入力機能に対応する操作インターフェイスである。デフォルトインターフェイスＡ０は、Ｗｉｎｄｏｗｓ，ｉＯＳ，Ａｎｄｒｏｉｄなどのオペレーティングシステムのプリセットユーザーインターフェイスである。第１インターフェイスＡ１の具体的な実施形態は、下記の図３に対応する説明で詳細に解説する。
【００２７】
制御ユニット１６０は、タッチ入力ユニット１２０、表示ユニット１４０及びタッチインターフェース切替ユニット１８０と電気的に接続する。制御ユニット１６０は、タッチ入力ユニット１２０からの入力信号を受信して、第１プリセット入力機能によって、それに対応する操作を行う。
【００２８】
タッチインターフェース切替ユニット１８０は、切替信号Ｓ１を発生して制御ユニット１６０に伝送して、制御ユニット１６０により、表示ユニット１４０がデフォルトインターフェイスＡ０から、第１プリセット入力機能に対応する第１インターフェイスＡ１に切り替えられるためのものである。タッチインターフェース切替ユニット１８０は、キーボード入力モジュール１３０の特定なボタン（例えばボタンＦｎ）、マウス、又は表示ユニット１４０に位置するタッチコンポーネントである。これにより、ユーザーは、タッチインターフェース切替ユニット１８０を操作することにより、表示ユニット１４０が第１インターフェイスＡ１を表示して、タッチ入力ユニット１２０により、第１プリセット入力機能を実行することが可能である。この部分は、下記の第１インターフェイスＡ１に対応する説明でもっと詳細に解説する。
【００２９】
本実施形態では、タッチ入力ユニット１２０は第１プリセット入力機能だけが与えられたが、本発明はこれらに限定されない。実際の必要によって、制御ユニット１６０を介して、タッチ入力ユニット１２０に第２プリセット入力機能が与えられてもよい。これにより、ユーザーは切り替えて使用可能であり、操作が多様化となる。例えば、第１プリセット入力機能は、従来のキーボードの最も上方の列にあるボタンの機能（主に、ファンクションキーＦ１,Ｆ２…Ｆ１２）でもよい。第２プリセット入力機能は、スクリーンの明るさ、キーボードの明るさ、音量の調整や設定などの機能でもよい。
【００３０】
図３は、本発明のタッチ入力機能を有する電子装置のタッチ入力ユニット１２０とそれに対応する第１インターフェイスＡ１との一実施形態を示す模式図である。図に示すように、第１インターフェイスＡ１は、ツールバー（ｔｏｏｌｂａｒ）４００を有し、表示ユニット１４０の下縁に位置し、タッチ入力ユニット１２０に近接する。ツールバー４００は、少なくとも一つのアイコン（ｉｃｏｎ）４２０を有し、ツールバー４００の下方に位置するタッチ入力ユニット１２０の機能をユーザーにプロンプトする。
【００３１】
本実施形態では、ツールバー４００のアイコン４２０の数量は、タッチ入力ユニット１２０のタッチボタン１２２の数量に対応する。タッチ入力ユニット１２０は、複数のカーソル１２４を有するため、各タッチボタンの位置がマークされる。これらのカーソルは、ソリッドドット、中空ドット、又は正方形ドットなどの異なる設計でもよい。
【００３２】
一方、各アイコン４２０の位置は、それに対応するタッチボタン１２２に合うが、本発明はこれらに限定されない。実際の必要によって、ツールバー４００のアイコン４２０の数量は、タッチ入力ユニット１２０のタッチボタン１２２の数量より少なくてもよい。これにより、これらのタッチボタン１２２が重要性を有すること、又は機能が起動されたタッチボタン１２２をユーザーにプロンプトする。
【００３３】
一方、本発明は、第１インターフェイスＡ１にあるアイコンを変更することにより、ユーザーにプロンプトする目的を達成することが可能である。これにより、タッチボタン１２２に余計なマーキングを増加することが必要せず、ユーザーの操作が混乱となることを回避することが可能である。
【００３４】
本実施形態に係るタッチ入力ユニット１２０は、カーソル１２４を有し、これにより、タッチボタン１２２の位置がマークされ、従来のキーボードにおけるマーキング（例えばＦ１、Ｆ２…Ｆ１２など）を取り換えることが可能であるが、本発明はこれらに限定されない。例えば、実際の必要によって、タッチボタン１２２に複数の機能が与えられることが必要な場合には、タッチ入力ユニット１２０の表面に、タッチボタン１２２のうちの一つのプリセット入力機能がマークされてもよく、第１インターフェイスＡ１に、タッチボタン１２２の他のプリセット入力機能がマークされてもよい。
【００３５】
図４は、本発明のタッチ入力機能を有する電子装置２００の別の実施形態を示すブロック図である。一つの実施形態では、第１インターフェイスＡ１の操作モードで、ユーザーがもっと直覚的に操作することが可能となるために、タッチ入力ユニット２２０が触発されて上級インターフェイス信号Ｓ２を発生する場合には、制御ユニット２６０がタッチ入力ユニット２２０に一つの上級プリセット入力機能を即時に与えて、表示ユニット２４０がそれに対応する第２インターフェイスＡ２ａまたはＡ２ｂを表示する。これにより、ユーザーは、タッチ入力ユニット２２０を介して、この上級プリセット入力機能を実行することが可能である。
【００３６】
図５は、本発明のタッチ入力機能を有する電子装置のタッチ入力ユニット２２０とそれに対応する第２インターフェイスＡ２ａとの一実施形態を示す模式図である。図６は、本発明のタッチ入力機能を有する電子装置のタッチ入力ユニット２２０とそれに対応する第２インターフェイスＡ２ｂとの別の実施形態を示す模式図である。
【００３７】
図４及び図５を参照する。第１インターフェイスＡ１の操作モードでは、ユーザーがタッチ入力ユニット２２０の明るさ又は音量の調整に対応するタッチボタン１２２を押圧すると、例えばキーボードの明るさ、スクリーンの明るさ及び音量の調整などのボタン（すなわち、上級インターフェイス信号Ｓ２に対応するボタン）を押圧すると、制御ユニット２６０により、表示ユニット２４０がそれに対応する第２インターフェイスＡ２ａを即時に表示し、レール操作インターフェイス２８２が現れると同時に、タッチ入力ユニット２２０がそれに対応する上級プリセット入力機能に切り替えられる。これにより、ユーザーがアナログ方式で調整することが可能である（すなわち、ユーザーは、レールをドラッグして明るさ又は音量を調整することが可能である。）。
【００３８】
図４及び図６を参照する。第１インターフェイスＡ１の操作モードでは、ユーザーがタッチ入力ユニット２２０の映像再生に対応するボタン（すなわち、上級インターフェイス信号Ｓ２に対応するボタン）を押圧すると、制御ユニット２６０により、表示ユニット２４０がそれに対応する第２インターフェイスＡ２ｂを即時に表示し、メニュー２８４及び機能操作バー２８６が現れると同時に、タッチ入力ユニット２２０がそれに対応する上級プリセット入力機能に切り替えられる。これにより、ユーザーは選択および操作を行うことが可能である。上級プリセット入力機能は、ユーザーの異なる押圧動作（例えば一點短時間および一點長時間など）を区別することが可能である。これにより、異なる操作機能を起動することが可能である。
【００３９】
上記の実施形態では、第１インターフェイスＡ１の操作により、タッチ入力ユニット２２０に二つの異なる上級プリセット入力機能が与えられると同時に、それに対応する第２インターフェイスＡ２ａ,Ａ２ｂが表示されるが、本発明はこれらに限定されない。実際の必要によって、第１インターフェイスＡ１の操作により、タッチ入力ユニット２２０にもっと多くのタイプ又はレベルの入力機能が与えられ、表示ユニット２４０がそれに対応するインターフェイスを表示することにより、ユーザーが操作を行ってもよい。
【００４０】
図７は、本発明のタッチ入力機能を有する電子装置３００の更に別の実施形態を示すブロック図である。本実施形態の図１の実施形態と相違する点は、本実施形態に係るタッチ入力ユニット３２０には、制御ユニット１６０により、デフォルトプリセット入力機能および第１プリセット入力機能を選択的に与えられることが可能であることにある。デフォルトプリセット入力機能は第１プリセット入力機能と異なる。例えば、デフォルトプリセット入力機能が従来のキーボードの最も上方の列のボタン（すなわち、ボタンＥｓｃ, Ｆ１,Ｆ２…Ｆ１２,Ｐａｕｓｅ及びＤｅｌなどの機能）に対応する場合には、第１プリセット入力機能が、表示の明るさ、キーボードの明るさ、音量の調整および設定などの機能に対応する。
【００４１】
デフォルトプリセット入力機能は、電子装置３００のデフォルト（ｄｅｆａｕｌｔ）入力機能である。すなわち、タッチインターフェース切替ユニット１８０により、表示ユニット１４０がデフォルトインターフェイスＡ０から第１インターフェイスＡ１に切り替えられないときに、タッチ入力ユニット３２０により、ユーザーが実行する入力機能である。
【００４２】
ユーザーがタッチインターフェース切替ユニット１８０を操作し、例えばキーボード入力モジュール１３０の特定のボタンを押圧することにより、制御ユニット１６０は、触発されて第１プリセット入力機能に切り替えられて、タッチ入力ユニット３２０の操作を制御すると同時に、表示ユニット１４０がそれに対応する第１インターフェイスＡ１を表示する。これにより、ユーザーは操作を行うことが可能である。本実施形態の他の部分は、図１の実施形態に類似するため、説明を省略した。
【００４３】
上記の実施形態では、第１プリセット入力機能を有する他、デフォルトプリセット入力機能を有し、電子装置のデフォルトインターフェイスに直接に適用される。この電子装置のタッチ入力ユニット３２０には、マーキングがマークされている。これにより、タッチ入力ユニット３２０が対応するデフォルトプリセット入力機能をユーザーにプロンプトする。
【００４４】
このように、本発明の特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００４５】
１００,２００,３００  電子装置
１２０,２２０,３２０  タッチ入力ユニット
１３０  キーボード入力モジュール
１３０ａ  ボタン区域
１４０,２４０  表示ユニット
１６０,２６０  制御ユニット
１８０  タッチインターフェース切替ユニット
４００  ツールバー
４２０  アイコン
１２２  タッチボタン
１２４  カーソル
Ａ０  デフォルトインターフェイス
Ａ１  第１インターフェイス
Ａ２ａ,Ａ２ｂ  第２インターフェイス
２８２  レール操作インターフェイス
２８４  メニュー
２８６  機能操作バー
Ｓ１  切替信号
Ｓ２  上級インターフェイス信号
【図１】
2019207669.tif 000003
【図２】
2019207669.tif 000004
【図３】
2019207669.tif 000005
【図４】
2019207669.tif 000006
【図５】
2019207669.tif 000007
【図６】
2019207669.tif 000008
【図７】
2019207669.tif 000009